(57)【要約】【課題】その製作、点検及び補修等が容易であり、とりわけ乾燥中に被乾燥物の局部的な滞留や塊状化が起こるのを防止して均質な乾燥物を得ることができる撹拌式乾燥機を提供する。【解決手段】横置き円筒状容器中へ装入した被乾燥物を、該横置き円筒状容器の軸線方向における一方側において外側の第１群の櫂形羽根と内側の第１のスクリュウとにより形成される第１の系と、該横置き円筒状容器の軸線方向における他方側において外側の第２群の櫂形羽根と内側の第２のスクリュウとにより形成される第２の系との全体として二つの系で撹拌しつつ循環させるようにした。【選択図】          図２
2004298816.tif 000002
【特許請求の範囲】
【請求項１】
横置き円筒状容器内に撹拌手段を備え、該横置き円筒状容器内へ装入した被乾燥物を該撹拌手段で撹拌しつつ加熱して乾燥するようにした撹拌式乾燥機において、横置き円筒状容器の軸線部に装架された回転軸と、該回転軸の軸方向の一方側において該回転軸に順次位相をずらして交互に取付けられた第１群の長手支腕及び第１群の短手支腕と、該回転軸の軸方向の他方側において該回転軸に順次位相をずらして交互に取付けられた第２群の長手支腕及び第２群の短手支腕と、該第１群の長手支腕の各先端部に取付けられた第１群の櫂形羽根と、該第１群の短手支腕の各先端部にこれらに渡って取付けられた第１のスクリュウと、該第２群の長手支腕の各先端部に取付けられた第２群の櫂形羽根と、該第２群の短手支腕の各先端部にこれらに渡って取付けられた第２のスクリュウとを備え、該第１群の櫂形羽根の傾斜方向と該第１のスクリュウの捩れ方向とは、また該第２群の櫂形羽根の傾斜方向と該第２のスクリュウの捩れ方向とは、更に該第１群の櫂形羽根の傾斜方向と該第２群の櫂形羽根の傾斜方向とはそれぞれにおいて逆向きになっており、該回転軸回りのこれらの回転によって、該横置き円筒状容器内へ装入した被乾燥物を、該第１群の櫂形羽根と該第１のスクリュウとにより形成される第１の系と、該第２群の櫂形羽根と該第２のスクリュウとにより形成される第２の系との全体として二つの系で撹拌しつつ循環させるようにして成ることを特徴とする撹拌式乾燥機。
【請求項２】
第１群の長手支腕の一部及び第２群の長手支腕の一部に、櫂形羽根と共に又は櫂形羽根に代えて、横置き円筒状容器内における被乾燥物の循環を促す誘導部材が取付けられた請求項１記載の撹拌式乾燥機。
【請求項３】
横置き円筒状容器の軸線方向における両内側面に、該横置き円筒状容器内に生成する被乾燥物の塊状物を破砕するカッター部材が取付けられた請求項１又は２記載の撹拌式乾燥機。
【発明の詳細な説明】
【０００１】
【発明の属する技術分野】
本発明は撹拌式乾燥機に関し、更に詳しくは横置き円筒状容器内に撹拌手段を備え、該横置き円筒状容器内へ装入した被乾燥物、例えば食品工場で廃棄される原料、中間製品、不良製品等の汚泥状物を該撹拌手段で撹拌しつつ加熱して乾燥するようにした撹拌式乾燥機の改良に関する。
【０００２】
【従来の技術】
従来、前記のような撹拌式乾燥機として、横置き円筒状容器の軸線部に装架された回転軸と、該回転軸に取付けられた二重スクリュウとを備え、外側のスクリュウの捩れ方向と内側のスクリュウの捩れ方向とは逆向きになっており、該回転軸回りのかかる二重スクリュウの回転によって、該横置き円筒状容器内へ装入した被乾燥物を、該外側のスクリュウと該内側のスクリュウとで形成される全体として一つの系で撹拌しつつ循環させるようにしたものが知られている（例えば特許文献１参照）。しかし、かかる従来の撹拌式乾燥機には、横置き円筒状容器内に二重スクリュウを備えるものであるため、その製作、点検及び補修等が誠に厄介であり、とりわけ被乾燥物を全体として一つの系で循環させるため、その乾燥中に該被乾燥物の局部的な滞留や塊状化が起こり易く、乾燥斑が生じ易いという問題がある。
【０００３】
また従来、前記のような撹拌式乾燥機として、横置き円筒状容器の軸線部に装架された回転軸と、該回転軸に取付けられた二重構造管と、該二重構造管の外側周面に取付けられた第１の撹拌手段と、該二重構造管の内側にて該回転軸に取付けられた第２の撹拌手段とを備え、該第１の撹拌手段と該第２の撹拌手段とはこれらによる被乾燥物の移送方向が逆向きになるようになっており、該回転軸回りのかかる撹拌手段の回転によって、該横置き円筒状容器内へ装入した被乾燥物を、該二重構造管の外側の空間を一方側から他方側へと、次に該二重構造管の内側の空間を他方側から一方側へと一過式で通過させるようにしたものが知られている（例えば特許文献２参照）。しかし、かかる従来の撹拌式乾燥機には、横置き円筒状容器内に二重構造管を備え、しかも該二重構造管の外側周面に第１の撹拌手段を取付け、また該二重構造管の内側にて回転軸に第２の撹拌手段を取付けたものであるため、その製作、点検及び補修等が誠に厄介であり、とりわけ被乾燥物を一過式で通過させるため、その乾燥中に該被乾燥物の局部的な滞留や塊状化が起こり易く、乾燥斑が生じ易いという問題がある。
【０００４】
【特許文献１】
特開平９−１１９７号公報
【特許文献２】
特開２００２−８１８６４号公報
【０００５】
【発明が解決しようとする課題】
本発明が解決しようとする課題は、その製作、点検及び補修等が容易であり、とりわけ乾燥中に被乾燥物の局部的な滞留や塊状化が起こるのを防止して乾燥斑のない均質な乾燥物を得ることができる撹拌式乾燥機を提供する処にある。
【０００６】
【課題を解決するための手段】
前記の課題を解決する本発明は、横置き円筒状容器内に撹拌手段を備え、該横置き円筒状容器内へ装入した被乾燥物を該撹拌手段で撹拌しつつ加熱して乾燥するようにした撹拌式乾燥機において、横置き円筒状容器の軸線部に装架された回転軸と、該回転軸の軸方向の一方側において該回転軸に順次位相をずらして交互に取付けられた第１群の長手支腕及び第１群の短手支腕と、該回転軸の軸方向の他方側において該回転軸に順次位相をずらして交互に取付けられた第２群の長手支腕及び第２群の短手支腕と、該第１群の長手支腕の各先端部に取付けられた第１群の櫂形羽根と、該第１群の短手支腕の各先端部にこれらに渡って取付けられた第１のスクリュウと、該第２群の長手支腕の各先端部に取付けられた第２群の櫂形羽根と、該第２群の短手支腕の各先端部にこれらに渡って取付けられた第２のスクリュウとを備え、該第１群の櫂形羽根の傾斜方向と該第１のスクリュウの捩れ方向とは、また該第２群の櫂形羽根の傾斜方向と該第２のスクリュウの捩れ方向とは、更に該第１群の櫂形羽根の傾斜方向と該第２群の櫂形羽根の傾斜方向とはそれぞれにおいて逆向きになっており、該回転軸回りのこれらの回転によって、該横置き円筒状容器内へ装入した被乾燥物を、該第１群の櫂形羽根と該第１のスクリュウとにより形成される第１の系と、該第２群の櫂形羽根と該第２のスクリュウとにより形成される第２の系との全体として二つの系で撹拌しつつ循環させるようにして成ることを特徴とする撹拌式乾燥機に係る。
【０００７】
本発明に係る撹拌式乾燥機も、横置き円筒状容器と、該横置き円筒状容器の軸線部に装架された回転軸と、該回転軸に取付けられた撹拌手段とを備え、該横置き円筒状容器内へ装入した被乾燥物を該撹拌手段で撹拌しつつ加熱して乾燥するようになっている。横置き円筒状容器には被乾燥物の供給口及び乾燥物の排出口が開設されており、被乾燥物の加熱手段が装備されていることはいうまでもない。例えば、横置き円筒状容器の周部に加熱媒体、通常は加熱水蒸気の流通可能なジャケットが設けられているのである。また回転軸にはこれを回転させるための駆動モータが接続されていることもいうまでもない。
【０００８】
本発明は係る撹拌式乾燥機には、被乾燥物の撹拌手段として、以下に説明するような第１群の各長手支腕の先端部に取付けられた第１群の櫂形羽根、第１群の各短手支腕の先端部にこれらに渡って取付けられた第１のスクリュウ、第２群の各長手支腕の先端部に取付けられた第２群の櫂形羽根及び第２群の各短手支腕の先端部にこれらに渡って取付けられた第２のスクリュウとを備えている。
【０００９】
本発明に係る撹拌式乾燥機では、横置き円筒状容器の軸線部に装架された回転軸の軸方向の一方側に、第１群の長手支腕及び第１群の短手支腕が順次移送をずらして交互に取付けられている。例えば正面から見て中央部から左側の回転軸に複数の長手支腕及び複数の短手支腕が交互に取付けられており、これらの複数の長手支腕は順次移送をずらして、またこれらの複数の短手支腕も順次移送をずらして取付けられていて、かかる複数の長手支腕により第１群の長手支腕が、またかかる複数の短手支腕により第１群の短手支腕が形成されているのである。
【００１０】
同様に、回転軸の軸方向の他方側にも、第２群の長手支腕及び第２群の短手支腕が順次移送をずらして交互に取付けられている。例えば正面から見て中央部から右側の回転軸に複数の長手支腕及び複数の短手支腕が交互に取付けられており、これらの複数の長手支腕は順次移送をずらして、またこれらの複数の短手支腕も順次移送をずらして取付けられていて、かかる複数の長手支腕により第２群の長手支腕が、またかかる複数の短手支腕により第２群の短手支腕が形成されているのである。
【００１１】
また本発明に係る撹拌式乾燥機では、前記した第１群の長手支腕の各先端部に櫂形羽根が取付けられており、かかる複数の櫂形羽根により第１群の櫂形羽根が形成されていて、また前記した第１群の短手支腕の各先端部にこれらに渡って第１のスクリュウが取付けられている。同様に、前記した第２群の長手支腕の各先端部に櫂形羽根が取付けられており、かかる複数の櫂形羽根により第２群の櫂形羽根が形成されていて、また前記した第２群の短手支腕の各先端部にこれらに渡って第２のスクリュウが取付けられている。
【００１２】
更に本発明に係る撹拌式乾燥機では、第１群の櫂形羽根の傾斜方向と第１のスクリュウの捩れ方向とは逆向きになっている。回転軸の回転により、第１群の櫂形羽根及び第１のスクリュウを回転させると、これらによる被乾燥物の移送方向が逆向きになるようになっているのである。例えば、回転軸にかかる第１群の櫂形羽根及び第１のスクリュウが取付けられた正面から見て中央部から左側における横置き円筒状容器内において、被乾燥物を第１群の櫂形羽根の回転により周部側（外側）で中央部から左側へと移送する場合には、該被乾燥物を第１のスクリュウの回転により軸線部側（内側）で左側から中央部へと逆向きに移送するようになっているのである。
【００１３】
同様に、第２群の櫂形羽根の傾斜方向と第２のスクリュウの捩れ方向とは逆向きになっている。回転軸の回転により、第２群の櫂形羽根及び第２のスクリュウを回転させると、これらによる被乾燥物の移送方向が逆向きになるようになっているのである。例えば、回転軸にかかる第２群の櫂形羽根及び第２のスクリュウが取付けられた正面から見て中央部から右側における横置き円筒状容器内において、被乾燥物を第２群の櫂形羽根の回転により周部側（外側）で中央部から右側へと移送する場合には、該被乾燥物を第２のスクリュウの回転により軸線部側（内側）で右側から中央部へと逆向きに移送するようになっているのである。
【００１４】
そして本発明に係る撹拌式乾燥機では、第１群の櫂形羽根の傾斜方向と第２群の櫂形羽根の傾斜方向とは逆向きになっている。言い替えれば、第１のスクリュウの捩れ方向と第２のスクリュウの捩れ方向も逆向きになっているのである。
【００１５】
したがって本発明に係る撹拌式乾燥機は、回転軸回りの前記したような第１群の櫂形羽根、第１のスクリュウ、第２群の櫂形羽根及び第２のスクリュウの回転により、横置き円筒状容器内へ装入した被乾燥物を、該第１群の櫂形羽根と該第１のスクリュウとにより形成される第１の系と、該第２群の櫂形羽根と該第２のスクリュウとにより形成される第２の系との全体として二つの系で撹拌移送しつつ循環させるようになっている。前記したように、正面から見て中央部から左側における横置き円筒状容器内において、被乾燥物を第１群の櫂形羽根の回転により周部側（外側）で中央部から左側へと移送し、該被乾燥物を第１のスクリュウの回転により軸線部側（内側）で左側から中央部へと逆向きに移送すると、ここに該被乾燥物が筒状に循環する第１の系が形成され、また正面から見て中央部から右側における横置き円筒状容器内において、被乾燥物を第２群の櫂形羽根の回転により周部側（外側）で中央部から右側へと移送し、該被乾燥物を第２のスクリュウの回転により軸線部側（内側）で右側から中央部へと逆向きに移送すると、ここに該被乾燥物が筒状に循環する第２の系が形成されるのである。
【００１６】
本発明に係る撹拌式乾燥機において、第１群の長手支腕の一部及び第２群の長手支腕の一部に、櫂形羽根と共に又は櫂形羽根に代えて、横置き円筒状容器内における被乾燥物の循環を促す誘導部材を取付けるのが好ましく、第１群の長手支腕のうちで正面から見て最も左側に位置する長手支腕及び第２群の長手支腕のうちで正面から見て最も右側に位置する長手支腕に、櫂形羽根に代えて、前記のような誘導部材を取付けるのがより好ましい。また本発明に係る撹拌式乾燥機において、横置き円筒状容器の軸線方向における両内側面に、該横置き円筒状容器内に生成する被乾燥物の塊状物を破砕するカッター部材を取付けるのが好ましい。
【００１７】
本発明に係る撹拌式乾燥機によると、横置き円筒状容器の回転軸に周部側（外側）で櫂形羽根を、また軸線部側（内側）でスクリュウを取付けたものであるため、その製作、点検及び補修等が容易であり、またかかる横置き円筒状容器内へ装入した被乾燥物を全体として二つの系で撹拌移送しつつ循環させるため、乾燥中に該被乾燥物の局部的な滞留や塊状化が起こるのを防止して乾燥斑のない均質な乾燥物を得ることができる。
【００１８】
【発明の実施の形態】
図１は本発明に係る撹拌式乾燥機を略示する正面図、図２は図１のＡ−Ａ線拡大断面図、図３は図１と同じ本発明に係る撹拌式乾燥機において櫂形羽根及び誘導部材の取付け状態を略示する拡大図、図４は図１と同じ本発明に係る撹拌式乾燥機を示す部分拡大断面図、図５は図１と同じ本発明に係る撹拌式乾燥機の誘導部材を示す拡大斜視図である。
【００１９】
図示した撹拌式乾燥機は、横置き円筒状容器１１と、横置き円筒状容器１１の軸線部に装架された回転軸２１とを備えている。横置き円筒状容器１１は、容器本体１２と、容器本体１２の左右両側に被着された蓋体１３，１４とからなり、回転軸２１は蓋体１３，１４に軸受されていて、駆動モータ２２へと接続されている。容器本体１２には、その中央部上面に被乾燥物の供給口１５が、またその中央部下面に乾燥物の排出口１６が開設されており、排出口１６には蓋体１７が被着されている。また容器本体１２の周部には、加熱水蒸気の流通可能なジャケット１８が設けられている。
【００２０】
回転軸２１の軸方向における中央部から左側には、詳しくは後述するような第１群の長手支腕の把持具３１〜３６と第１群の短手支腕の把持具４１〜４５とが交互に取付けられており、把持具３１〜３６は回転軸２１の中央部から左側に向かい順次位相をずらして、また把持具４１〜４５も回転軸２１の中央部から左側に向かい順次位相をずらして取付けられている。同様に、回転軸２１の軸方向における中央部から右側にも、第２群の長手支腕の把持具３１ａ〜３６ａと第２群の短手支腕の把持具４１ａ〜４５ａとが交互に取付けられており、把持具３１ａ〜３６ａは回転軸２１の中央部から右側に向かい順次位相をずらして、また把持具４１ａ〜４５ａも回転軸２１の中央部から右側に向かい順次位相をずらして取付けられている。図示した撹拌式乾燥機では、横置き円筒状容器１１内において、回転軸２１の軸方向における中央部から左側の構造と中央部から右側の構造とは対称形になっているので、以下は主に中央部から左側の構造について説明する。
【００２１】
把持具３１〜３６には長手支腕５１〜５６が把持されており、したがって長手支腕５１〜５６は回転軸２１にその中央部から左側に向かい順次位相をずらして取付けられている。また把持具４１〜４５には短手支腕６１〜６５が把持されており、したがって短手支腕６１〜６５は回転軸２１にその中央部から左側に向かい順次位相をずらして取付けられている。これらの長手支腕５１〜５６により第１群の長手支腕が形成されており、またこれらの短手支腕６１〜６５により第１群の短手支腕が形成されている。同様に、把持具３１ａ〜３６ａには長手支腕５１ａ〜５６ａが把持されており、したがって長手支腕５１ａ〜５６ａは回転軸２１にその中央部から右側に向かい順次位相をずらして取付けられている。また把持具４１ａ〜４５ａには短手支腕６１ａ〜６５ａ（但し、短手支腕６１ａ〜６５ａは図示しない、以下同じ）が把持されており、したがって短手支腕６１ａ〜６５ａは回転軸２１にその中央部から右側に向かい順次位相をずらして取付けられている。これらの長手支腕５１ａ〜５６ａにより第２群の長手支腕が形成されており、またこれらの短手支腕６１ａ〜６５ａにより第２群の短手支腕が形成されている。
【００２２】
第１群の長手支腕５１〜５６のうちで最も左側に位置する長手支腕５６を除き、長手支腕５１〜５５の各先端部には櫂形羽根７１〜７５が取付けられており、これらの櫂形羽根７１〜７５により第１群の櫂形羽根が形成されていて、また第１群の短手支腕６１〜６５の各先端部にはこれらに渡って第１のスクリュウ８１が取付けられている。第１群の櫂形羽根７１〜７５の傾斜方向は同じになっており、その傾斜方向は第１のスクリュウ８１の捩れ方向と逆向きになっている。同様に、第２群の長手支腕５１ａ〜５６ａのうちで最も右側に位置する長手支腕５６ａを除き、長手支腕５１ａ〜５５ａの各先端部には櫂形羽根７１ａ〜７５ａが取付けられており、これらの櫂形羽根７１ａ〜７５ａにより第２群の櫂形羽根が形成されていて、また第２群の短手支腕６１ａ〜６５ａの各先端部にはこれらに渡って第２のスクリュウ８１ａ（但し、第２のスクリュウ８１ａは図示しない、以下同じ）が取付けられている。第２群の櫂形羽根７１ａ〜７５ａの傾斜方向は同じになっており、その傾斜方向は第２のスクリュウ８１ａの捩れ方向と逆向きになっている。また第１群の櫂形羽根７１〜７５の傾斜方向と第２群の櫂形羽根７１ａ〜７５ａの傾斜方向とは逆向きになっており、したがって結果としては、第１のスクリュウ８１の捩れ方向と第２のスクリュウ８１ａの捩れ方向も逆向きになっている。
【００２３】
図示した撹拌式乾燥機では、第１群の長手支腕５１〜５６のうちで最も左側に位置する長手支腕５６の先端部に、容器本体１２の周面に向かって末広がりの略円錐形片からなる誘導部材９１が取付けられており、また左側の蓋体１３の内面に、誘導部材９１と近接する位置にてカッター部材９２が取付けられている。同様に、第２群の長手支腕５１ａ〜５６ａのうちで最も右側に位置する長手支腕５６ａの先端部にも、容器本体１２の周面に向かって末広がりの略円錐形片からなる誘導部材９１ａが取付けられており、また右側の蓋体１４の内面に、誘導部材９１ａと近接する位置にてカッター部材９２ａ（但し、カッター部材９２ａは図示しない、以下同じ）が取付けられている。
【００２４】
図２において回転軸２１を右回転させると、横置き円筒状容器１１内へ装入した被乾燥物は、図１の中央部から左側において、第１群の櫂形羽根７１〜７５の回転により周部側（外側）で中央部から左側へと撹拌されつつ移送され、また第１のスクリュウ８１の回転により軸線部側（内側）で左側から中央部へと逆向きに撹拌されつつ移送される結果、ここに該被乾燥物が図１の中央部から左側において矢印で示すような筒状に循環する第１の系９３が形成される。同様に、図２において回転軸２１を右回転させると、横置き円筒状容器１１内へ装入した被乾燥物は、図１の中央部から右側において、第２群の櫂形羽根７１ａ〜７５ａの回転により周部側（外側）で中央部から右側へと撹拌されつつ移送され、また第２のスクリュウ８１ａの回転により軸線部側（内側）で右側から中央部へと逆向きに撹拌されつつ移送される結果、ここに該被乾燥物が図１の中央部から右側において矢印で示すような筒状に循環する第２の系９３ａが形成される。
【００２５】
被乾燥物を前記のような第１の系９３と第２の系９３ａとの全体として二つの系で循環させるとき、図１及び図３において最も左側の長手支腕５６に取付けられた誘導部材９１及び最も右側の長手支腕５６ａに取付けられた誘導部材９１ａは、蓋体１３，１４の周域で滞留し易い該被乾燥物の循環を促し、また蓋体１３，１４の内側面に取付けられたカッター部材９２，９２ａは蓋体１３，１４の周域で生成し易い該被乾燥物の塊状物を破砕する。
【００２６】
かくして、横置き円筒状容器１１内へ装入した被乾燥物を第１の系９３と第２の系９３ａとの全体として二つの系で撹拌しつつ循環させ、その間にジャケット１８へ流通させた加熱水蒸気との熱交換により蒸発させた水分等の揮発性成分の蒸気を供給口１５から排気して、得られる乾燥物を蓋体１７を開いて排出口１６から回収する。
【００２７】
【発明の効果】
既に明らかなように、以上説明した本発明には、その製作、点検及び補修等が容易であり、とりわけ乾燥中に被乾燥物の局部的な滞留や塊状化が起こるのを防止して均質な乾燥物を得ることができるという効果がある。
【図面の簡単な説明】
【図１】本発明に係る撹拌式乾燥機を略示する正面図。
【図２】図１のＡ−Ａ線拡大断面図。
【図３】図１と同じ本発明に係る撹拌式乾燥機において櫂形羽根及び誘導部材の取付け状態を略示する拡大図。
【図４】図１と同じ本発明に係る撹拌式乾燥機を示す部分拡大断面図。
【図５】図１と同じ本発明に係る撹拌式乾燥機の誘導部材を示す拡大斜視図。
【符号の説明】
１１・・横置き円筒状容器、１２・・容器本体、１３，１４・・蓋体、１５・・供給口、１６・・排出口、１８・・ジャケット、２１・・回転軸、３１〜３６，３１ａ〜３６ａ，４１〜４５，４１ａ〜４５ａ・・把持具、５１〜５６・・第１群の長手支腕、５１ａ〜５６ａ・・第２群の長手支腕、６１〜６５・・第１群の短手支腕、７１〜７５・・第１群の櫂形羽根、７１ａ〜７５ａ・・第２群の櫂形羽根、８１・・第１のスクリュウ、９１，９１ａ・・誘導部材、９２・・カッター部材
【図１】
2004298816.tif 000003
【図２】
2004298816.tif 000004
【図３】
2004298816.tif 000005
【図４】
2004298816.tif 000006
【図５】
2004298816.tif 000007